(57)【要約】      （修正有）【課題】腕に装着したままでも、高い位置にある被写体を視認することが可能な、操作性の高い撮影機能付リスト装置を提供する。【解決手段】所定の被写体を撮影する外部撮影カメラ１９のレンズ１９ａ、並びに、外部撮影カメラ１９によって撮影された被写体の撮影画像を表示する表示器２１の両方が所定の筐体１７に設けられた装置ユニット１３と、腕に装着するリスト装置１５と、を備え、装置ユニット１３と、使用者側でリスト装置１５と、を揺動自在に連結させ、被写体撮影時、レンズ１９ａが被写体に向くように、使用者が原点位置にある装置ユニット１３を所定角度、立設させた際に、使用者が表示器２１に表示される撮影画像を視認できるように、レンズ１９ａ、表示器２１の双方を筐体１７に配置する。【選択図】図１
2018004713.tif 000002
【特許請求の範囲】
【請求項１】
所定の被写体を撮影する外部撮影カメラのレンズ、並びに、前記外部撮影カメラによって撮影された被写体の撮影画像を表示する表示器の両方が所定の筐体に設けられた装置ユニットと、
腕に装着するリスト装置と、
を備えており、
前記装置ユニットが使用者側で前記リスト装置に揺動自在に連結されており、
前記被写体撮影時、前記レンズが前記被写体に向くように、使用者が前記原点位置にある装置ユニットを所定角度、立設させた際に、使用者が前記表示器に表示される撮影画像を視認できるように、前記レンズ及び前記表示器が前記筐体に配置されていることを特長とする撮影機能付リスト装置。
【請求項２】
請求項１に記載の撮影機能付リスト装置が、前記表示器に前記撮影画像を含む所定の視覚情報を表示させる機能を備えていることを特長とする撮影機能付リスト装置。
【請求項３】
前記装置ユニットが折り畳まれた所定の原点位置にあるときに、使用者が前記表示器に表示される前記視覚情報を視認できることを特長とする請求項１または請求項２に記載の撮影機能付リスト装置。
【請求項４】
前記表示器が所定の視覚情報を表示するディスプレイとタッチ入力するタッチパネルとを備えたタッチスクリーンであり、
前記装置ユニットが前記原点位置にあるときに、前記タッチパネルから入力操作ができることを特長とする請求項１乃至請求項３のいずれか１つに記載の撮影機能付リスト装置。
【請求項５】
前記装置ユニットに電力を供給する電源、前記装置ユニットを制御する制御部のうち、少なくとも１つが、前記リスト装置に設けられていることを特長とする請求項１乃至請求項４のいずれか１つに記載の撮影機能付リスト装置。
【請求項６】
前記第１表示ユニットを所定の方向に揺動させる所定のモータと、
前記前記第１表示ユニットを折り畳む方向に前記モータを作動させる第１の作動ボタンと、
前記第１表示ユニットを立設させる方向に前記モータを作動させる第２の作動ボタンと、
を備えており、
前記第１の作動ボタンを押すと、前記第１表示ユニットを折り畳む方向に揺動させ、前記第２の作動ボタンを押すと、前記第１表示ユニットを立設させる方向に揺動させるように、前記モータが作動することを特長とする請求項１乃至請求項５のいずれか１つに記載の撮影機能付リスト装置。
【発明の詳細な説明】
【技術分野】
【０００１】
本願発明は、外部撮影用カメラを備えて、使用者の腕に装着して使用する撮影機能付リスト装置に関するもので、例えば、コンピュータ、タブレット型コンピュータ、情報端末装置、タブレット型情報端末装置、ビデオカメラ、カメラ、テレビ、ラジオ、音声記憶装置、音声出力装置、ゲーム機、位置情報装置、時計に関する。
【背景技術】
【０００２】
撮影機能を備えた装置として、腕に装着して被写体の写真、映像を記録する腕装着型の常時携帯用カメラ・ビデオが公開されている。この常時携帯用カメラ・ビデオは、腕に装着したままでも、一定の撮影ができる。（例えば、特許文献１）
【０００３】
しかしながら、特許文献１に記載の常時携帯用カメラ・ビデオは、レンズがカメラ本体の上面に設けられているので、腕ごと、レンズを被写体に向けなければならない。しかも、この常時携帯用カメラ・ビデオは、表示器が備えられていないので、被写体を撮影する際に表示器上で被写体を視認することができず、被写体を的確に撮影できないという課題、操作性に欠ける一面があるという課題があった。
【０００４】
また、撮影機能を備えた装置として、腕に装着して被写体の画像を記録する腕装着型の電子カメラが公開されている。（例えば、特許文献２）
【０００５】
特許文献２に記載の電子カメラは、カメラ本体の本体ケース上面に表示器が略水平状に設けられるとともに、カメラ部が本体ケースの１２時側に配置され、レンズが１２時側の側面から外部に露出し、撮影中心方向が斜め下方に向けられている。
【０００６】
しかしながら、特許文献２に記載の電子カメラは、表示器が固定化されているために、使用者（撮影者）の前方上方にある被写体を撮影しようとすると、腕が上方に差し上げられてしまい、使用者は、表示器を視認できなくなる課題、操作性に欠ける一面があるという課題があった。
【０００７】
なお、特許文献２に記載の電子カメラのように、表示器があったとしても、使用者（撮影者）の前方方向にある被写体を的確に撮影しようとすると、撮影された画像を、固定化された表示器で視認し続けなければならない。しかしながら、撮影された画像を確認し続けていると、走行車など、周囲の状況が分かり難くなり、事故の危険性が増す可能性があった。
【０００８】
また、特許文献２に記載の電子カメラは、被写体の位置によっては、撮影方向にある被写体を実際に視認するときと、撮影された画像を表示器で確認するときとで、大きく視点を変更しなければならない。
【０００９】
また、特許文献１に記載の常時携帯用カメラ・ビデオ、特許文献２に記載の電子カメラは、そもそも、撮影画像を拡大、縮小することは考慮されておらず、容易に撮影画像を拡大、縮小する手段も備えられていない。
【先行技術文献】
【特許文献】
【００１０】
【特許文献１】特開２０００−１７１８８９
【特許文献２】特開２００４−７２４５０
【発明の概要】
【発明が解決しようとする課題】
【００１１】
本発明は、上記点に鑑み、被写体の高低に関わらず、使用者が腕に装着したままで、撮影画像を視認しながら容易に撮影できる撮影機能付リスト装置を提供することを目的とする。また、使用者が腕に装着したままでも、操作性のよい撮影機能付リスト装置を提供することを他の目的とする。
【課題を解決するための手段】
【００１２】
本発明は、上記目的を達成するために、請求項１に記載の撮影機能付リスト装置では、所定の被写体を撮影する外部撮影カメラのレンズ、並びに、外部撮影カメラによって撮影された被写体の撮影画像を表示する表示器の両方が所定の筐体に設けられた装置ユニットと、
腕に装着するリスト装置と、
を備えており、
装置ユニットが使用者側でリスト装置に揺動自在に連結されており、
被写体撮影時、レンズが被写体に向くように、使用者が原点位置にある装置ユニットを所定角度、立設させた際に、使用者が表示器に表示される撮影画像を視認できるように、レンズ及び表示器が筐体に配置されていることを特長とする。
【００１３】
これによれば、被写体の高低に応じて、第１表示ユニットの立設角度およびレンズの向きを変更することができる。しかも、被写体撮影時に、使用者が第１の表示器、第２の表示器の両表示器のうち、いずれか１つの表示器に表示される撮影画像を視認することができる。その結果、被写体の高低に関わらず、使用者が腕に装着したままで、撮影画像を視認しながら容易に撮影できる撮影機能付リスト装置を提供することができる。
【００１４】
また、被写体を視認する方向と、表示器で被写体を画像として視認する方向が、ほぼ同じ方向となるようにできるので、視点の移動距離を少なくすることができる。その結果、撮影時に、使用者が、撮影された画像を容易に視認できる撮影機能付リスト装置を提供することができる。なお、被写体を視認する方向と、表示器で被写体を画像として視認する方向が、ほぼ同じ方向となるので、頻繁に視点を移動させる必要がなく、使用者の周りにも、注意がし易い。その結果、撮影時に事故の危険性を低減することができる撮影機能付リスト装置を提供することができる。
【００１５】
この撮影機能付リスト装置は、請求項２に記載の撮影機能付リスト装置のように、請求項１に記載の撮影機能付リスト装置が、表示器に撮影画像を含む所定の視覚情報を表示させる機能を備えていてもよい。
【００１６】
請求項３に記載の撮影機能付リスト装置では、請求項１または請求項２において、装置ユニットが折り畳まれた所定の原点位置にあるときに、使用者が表示器に表示される視覚情報を視認できることを特長とする。
【００１７】
これによれば、装置ユニットが原点位置にあるときに、表示器が所定の視覚情報を表示できるので、操作性がよい。しかも、被写体の高低に関わらず、使用者が腕に装着したままで、撮影画像を視認しながら容易に撮影できる撮影機能付リスト装置を提供することができる。
【００１８】
請求項４に記載の撮影機能付リスト装置では、請求項１乃至請求項３のいずれか１つにおいて、表示器が所定の視覚情報を表示するディスプレイとタッチ入力するタッチパネルとを備えたタッチスクリーンであり、
装置ユニットが原点位置にあるときに、タッチパネルから入力操作ができることを特長とする。
【００１９】
これによれば、装置ユニットが原点位置にあるときに、タッチパネルから入力操作ができるので、操作性がよい。しかも、被写体の高低に関わらず、使用者が腕に装着したままで、撮影画像を視認しながら容易に撮影できる撮影機能付リスト装置を提供することができる。
【００２０】
請求項５に記載の撮影機能付リスト装置では、請求項１乃至請求項４のいずれか１つにおいて、装置ユニットに電力を供給する電源、装置ユニットを制御する制御部のうち、少なくとも１つが、リスト装置に設けられていることを特長とする。
【００２１】
これによれば、電源、制御部のうち、少なくとも１つがリスト装置に設けられるので、電源、制御部を装置ユニットに設ける場合に比べて、装置ユニットを軽量化でき、引いては、装置ユニットを堅牢化し易い。
【００２２】
請求項６に記載の撮影機能付リスト装置では、請求項１乃至請求項５のいずれか１つにおいて、第１表示ユニットを所定の方向に揺動させる所定のモータと、
第１表示ユニットを折り畳む方向にモータを作動させる第１の作動ボタンと、
第１表示ユニットを立設させる方向にモータを作動させる第２の作動ボタンと、
を備えており、
第１の作動ボタンを押すと、第１表示ユニットを折り畳む方向に揺動させ、第２の作動ボタンを押すと、第１表示ユニットを立設させる方向に揺動させるように、モータが作動することを特長とする。
【００２３】
これによれば、第１の作動ボタン、第２の作動ボタンを押してモータを作動させ、第１表示ユニットの姿勢を変更することができるので、操作性がよい。
【図面の簡単な説明】
【００２４】
【図１】第１の実施形態による、装置ユニットが原点位置にあるときの撮影機能付リスト装置の斜視図である。
【図２】第１の実施形態による、装置ユニットを立設させたときの撮影機能付リスト装置の斜視図である。
【図３】第１の実施形態による撮影機能付リスト装置の主要部品分解図である。
【図４】電源ボタン、初期画面復帰ボタン、操作ボタンの配置図である。
【図５】第１の実施形態による、初期画面である。
【図６】遠隔操作用画面の説明図である。
【図７】遠隔操作用画面の説明図である。
【図８】空調機操作画面の説明図である。
【図９】第２の実施形態による、装置ユニットを立設させたときの撮影機能付リスト装置の斜視図である。
【図１０】電源ボタン、初期画面復帰ボタン、操作ボタンの配置図である。
【発明を実施するための形態】
【実施例】
【００２５】
（第１の実施形態）
図１は、装置ユニットが原点位置にあるときの撮影機能付リスト装置の斜視図、図２は、装置ユニットを立設させたときの撮影機能付リスト装置の斜視図、図３は、撮影機能付リスト装置の主要部品分解図、図４は、電源ボタン、初期画面復帰ボタン、操作ボタンの配置図である。
【００２６】
図１に示すように、撮影機能付リスト装置１１は、装置ユニット１３、リスト装置１５を備えている。上述した装置ユニット１３を具体的に例示すると、情報端末、ビデオカメラ、カメラ、テレビ、音声出力装置（例えば、ラジオ、ミュージックプレイヤ）、音声記憶装置（例えば、ボイスレコーダ）、時計、ゲーム機、位置情報装置（例えば、位置ナビゲーション装置）、電話、血圧計、脈拍計などがある。
【００２７】
装置ユニット１３は、筐体１７、所定の被写体を撮影する外部撮影用カメラ１９、外部撮影用カメラ１９によって撮影された被写体の撮影画像を表示する表示器２１、操作ボタン２３（図４参照、撮影ボタン２３ａ、拡大ボタン２３ｂ、縮小ボタン２３ｃ、フラッシュボタン２３ｄ）を備えている。
【００２８】
筐体１７の表裏両面のうち、装置ユニットが折り畳まれた所定の原点位置にあるときに腕外方側の面となる面（筐体面）を表側の面１７ａ、腕側の面となる面（筐体面）を裏側の面１７ｂとすると、表示器２１が表側の面１７ａに設けられ、外部撮影用カメラ１９のレンズ１９ａが裏側の面１７ｂに設けられる。第１の実施形態では、装置ユニット１３が折り畳まれた所定の原点位置にあるときに、使用者が表示器２１を視認できるように、装置ユニット１３が配置されている。
【００２９】
なお、上述した実施形態では、表示器２１が筐体１７の表側の面１７ａに設けられ、レンズ１９ａが筐体１７の裏側の面１７ｂに設けられる旨の説明をしたが、これに限定されるものではない。被写体撮影時、レンズ１９ａが被写体に向くように、使用者が原点位置にある装置ユニット１３を所定角度、立設させた際に、使用者が表示器２１に表示される撮影画像を視認できるように、レンズ１９ａ、表示器２１の双方が筐体１７に配置されていればよい。
【００３０】
表示器２１には、視覚情報を表示するディスプレイとタッチパネルとを備えたタッチスクリーンが用いられる。撮影機能付リスト装置１１は、表示器２１に、撮影画像を含む所定の視覚情報（文字情報、画像情報）などを表示する機能を備えている。
【００３１】
上述した筐体１７には、図３に示すように、穴部１７ｃ（小径部１７ｄ、ザグリ１７ｅ）が形成されており、小径部１７ｄに、軸２５が嵌合されている。小径部１７ｄは、筐体１７（あるいは装置ユニット１３）が所定の可動範囲内で、軸２５の軸心回りに、自在に揺動することができるように、形成されている。つまり、装置ユニット１３は、リスト装置１５に対して、揺動自在に連結されている。
【００３２】
筐体１７（あるいは装置ユニット１３）の姿勢保持手段について、説明する。筐体１７のザグリ１７ｅには、圧縮された状態で組み立てられる圧縮バネ２７が挿入されている。これにより、筐体１７の側面１７ｆが、所定の押圧力でベース２９の側面２９ａ側に押される。圧縮バネ２７の押圧力は、（可動範囲内において、）装置ユニット１３を所定の位置、あるいは任意の位置で姿勢保持させることができる押圧力に設定されている。その結果、使用者は、装置ユニット１３を、所定の位置、あるいは任意の位置で姿勢保持させることができる。上述した圧縮バネ２７は、筐体１７（あるいは装置ユニット１３）を可動範囲内の所定の位置、任意の位置で姿勢保持させる姿勢保持手段として機能する。なお、姿勢保持手段の構成は、種々有り、上述した方法に限定されるものではない。
【００３３】
リスト装置１５は、図１に示すように、軸２５、圧縮バネ２７、ベース２９、軸３１、軸３３、装着部３５を備えている。ベース２９には、撮影機能付リスト装置１１を制御する制御部、被写体の撮影画像を含む所定の情報を記憶する記憶部、電源、電源ボタン３７、表示器２１の画面を初期画面に復帰させる初期画面復帰ボタン３９が設けられている。軸２５は、中空に形成されており、装置ユニット１３とリスト装置１５との間を中継する電力線、信号線が配線されている。
【００３４】
装着部３５について、説明する。装着部３５は、使用者の腕（手首を含む）に装着する（巻き付ける）部分であり、リスト装置１５（より具体的には、リスト装置の軸３１、軸３３）に連結される。使用者が装着部３５を腕に装着することで、装置ユニット１３を使用者の腕に固定（あるいは保持）させることができる。装着部３５をより具体的に例示すると、従来の腕時計で用いられるようなバンド、ベルト、ブレスレットなどを挙げることができる。素材には、布、皮革、金属、プラスチックなどがある。
【００３５】
図３を参照する。ベース２９には、穴部２９ｂ、穴部２９ｃ、穴部２９ｄ、穴部２９ｅ、穴部２９ｆ、穴部２９ｇ、相対面２９ｈが形成されている。上述した穴部のうち、穴部２９ｂ、穴部２９ｃには、軸２５が嵌合（締まり嵌め）されている。このほか、穴部２９ｄ、穴部２９ｅには、軸３１が嵌合（締まり嵌め）されている。穴部２９ｆ、穴部２９ｇには、軸３３が嵌合（締まり嵌め）されている。軸２５は、ベース２９と、装置ユニット１３とを連結する連結部材であり、装置ユニット１３を揺動、立設させる関節、あるいは支点として機能する。
【００３６】
装置ユニット１３と、リスト装置１５との連結構成について、説明する。装置ユニット１３が原点位置にあるときに、上述した筐体１７のうち、被写体側の一端（被写体側の端部または端部近傍の部位）を被写体側の一端１７ｇ、使用者側の一端（使用者側の端部または端部近傍の部位）を使用者側の一端１７ｈとし、ベース２９のうち、被写体側の一端（被写体側の端部または端部近傍の部位）を被写体側の一端２９ｊ、使用者側の一端（使用者側の端部または端部近傍の部位）を使用者側の一端２９ｋとすると、筐体１７の使用者側の一端１７ｈと、ベース２９の使用者側の一端２９ｋとが、軸２５（関節、支点）で連結されている。これにより、使用者は、撮影機能付リスト装置１１の使用者側（あるいは、ベース２９の使用者）で、装置ユニット１３を揺動、立設することができる。
【００３７】
立設時における（筐体１７の）表側の面１７ａ、裏側の面１７ｂの向きについて、説明する。レンズ１９ａが被写体を向くように、使用者が装置ユニット１３を（装置ユニット１３が折り畳まれた所定の原点位置から）立設させた時、表側の面１７ａは、使用者に向けられる。また、レンズ１９ａが被写体を向くように、使用者が装置ユニット１３を（装置ユニット１３が折り畳まれた所定の原点位置から）立設させた時、裏側の面１７ｂは、被写体側に向けられる。
【００３８】
撮影機能付リスト装置１１の装置構成について、要約する。第１の実施形態では、装置ユニット１３が折り畳まれた所定の原点位置にあるときに、レンズ１９ａが裏側の面１７ｂに配置される。そして、使用者が原点位置にある装置ユニット１３を所定角度、立設させたときに、レンズ１９ａが被写体に向くように、装置ユニット１３が撮影機能付リスト装置１１の使用者側で立設されるように構成されている。
【００３９】
上述した撮影機能付リスト装置１１は、所定の被写体を撮影する撮影機能の他に、外部機器（エアコン、照明器具など）を遠隔操作する遠隔操作機能、通話機能、画像再生機能、音声録音機能、音声再生機能、位置情報表示器能、インターネット接続機能、ゲーム機能、血圧測定機能、脈拍測定機能、計算機能などの機能、上記機能に応じた操作ボタン、制御部が、目的に応じて選択され、搭載される。
【００４０】
次に、３つの操作方法（使用者が被写体をビデオ撮影するときの操作方法、使用者が被写体をビデオ撮影するときの操作方法、外部機器を遠隔操作する方法）について、説明する。なお、装置ユニット１３は、操作を開始する前に、原点位置にあるものとする。最初に、使用者が撮影機能付リスト装置１１を装着した状態で、電源ボタン３７を押すと、表示器２１に認証画面が表示される。使用者が認証画面で認証を行い、認証が成立すると、表示器２１に初期画面４１（図４参照）が表示される。
【００４１】
使用者が被写体をビデオ撮影するときの操作方法について、説明する。使用者が図５に示す初期画面４１のビデオボタン４１ａを押すと、動画撮影モードＭ１に移行する。動画撮影モードＭ１に移行すると、表示器２１に撮影画像が表示される。
【００４２】
次に、使用者が装置ユニット１３を所定角度、揺動、立設させる。そして、装置ユニット１３の姿勢が、外部撮影用カメラ１９によって所定の被写体を撮影でき、しかも使用者が外部撮影用カメラ１９によって撮影された被写体の撮影画像を表示器２１で視認できる姿勢（視認可能撮影姿勢）となるように、装置ユニット１３を揺動させ、装置ユニット１３の立設角度α（図２参照）を変更させて、装置ユニット１３の姿勢を変換する。これにより、使用者は、表示器２１で被写体の撮影画像を視認することができる。この状態で、図４に示す撮影ボタン２３ａを押すと、撮影画像に対応する画像情報が、記憶部に記憶される。撮影を終了する場合には、撮影ボタン２３ａを再度、押す。
【００４３】
なお、被写体を撮影する際、拡大ボタン２３ｂを押すと、被写体の撮影画像が拡大される。また、縮小ボタン２３ｃを押すと、被写体の撮影画像が縮小される。因みに、視認可能撮影姿勢となるように、装置ユニット１３の姿勢を変換する際、体の向きを変える、腕の位置を変える、腕の方向を変えるなど、使用者が協調動作を行うことにより、撮影できる領域を大きくすることができる。
【００４４】
次に、使用者が被写体を写真撮影するときの操作方法について、説明する。使用者が図５に示す初期画面４１のカメラボタン４１ｂを押すと、静止画撮影モードＭ２に移行する。静止画撮影モードＭ２に移行すると、表示器２１に撮影画像が表示される。
【００４５】
次に、使用者が装置ユニット１３を所定角度、揺動、立設させる。そして、装置ユニット１３の姿勢が、外部撮影用カメラ１９によって所定の被写体を撮影でき、しかも使用者が外部撮影用カメラ１９によって撮影された被写体の撮影画像を表示器２１で視認できる姿勢（視認可能撮影姿勢）となるように、装置ユニット１３を揺動させ、装置ユニット１３の立設角度αを変更させて、装置ユニット１３の姿勢を変換する。これにより、使用者は、表示器２１で撮影画像を視認することができる。この状態で、図４に示す撮影ボタン２３ａを押すと、撮影画像に対応する画像情報が、記憶部に記憶される。
【００４６】
なお、被写体を撮影する際、拡大ボタン２３ｂを押すと、被写体の撮影画像が拡大される。また、縮小ボタン２３ｃを押すと、被写体の撮影画像が縮小される。また、図４に示すフラッシュボタン２３ｄを押すと、フラッシュ撮影することができる。因みに、視認可能撮影姿勢となるように、装置ユニット１３の姿勢を変換する際、体の向きを変える、腕の位置を変える、腕の方向を変えるなど、使用者が協調動作を行うことにより、撮影できる領域を大きくすることができる。
【００４７】
次に、外部機器を遠隔操作する方法について、説明する。遠隔操作対象として、照明、空調機、電子錠、カメラ、テレビ、録画装置、録音装置、風呂、給餌器、車両、ロボットなどを例示することができる。代表例として、遠隔操作する外部機器が空調機である場合について、説明する。
【００４８】
使用者が図５に示す初期画面４１の遠隔操作ボタン４１ｃを押すと、初期画面４１が図６に示す遠隔操作用画面４７に切り替わり、遠隔操作モードＭ３に移行する。次に、遠隔操作用画面４７の空調ボタン４７ａを押すと、遠隔操作用画面４７が図７に示す空調機選択画面４９に切り替わる。次に、使用者が遠隔操作したい空調機を選択する。例えば、特定の空調機Ａを遠隔操作したい場合、特定の空調機Ａに対応する空調ボタン（第１の実施形態では、空調ボタン４９ａ）を押す。すると、特定の空調機Ａに対応する空調機操作画面５１に切り替わる（図８参照）。そして、空調機操作画面５１で、詳細に遠隔操作する。図８において、５１ａは冷房ボタン、５１ｂは除湿ボタン、５１ｃは暖房ボタン、５１ｄは温度ボタン、５１ｅは温度ボタン、５１ｆは設定温度表示部、５１ｇは風量ボタン、５１ｈは風向ボタン、５１ｊは風量表示部、５１ｋは風向表示部である。
【００４９】
上記構成によれば、使用者は、使用者が腕に装着したままで、撮影機能付リスト装置１１を使用することができ、被写体の高低に応じて、装置ユニットの立設角度αおよびレンズ１９ａの向きを変更することができる。しかも、使用者が腕に装着したままで、撮影画像を視認することができる。その結果、被写体の高低に関わらず、使用者が腕に装着したままで、撮影画像を視認しながら容易に撮影できる撮影機能付リスト装置を提供することができる。また、折り畳んだ状態で、表示器２１を視認し、操作することができるので、非常に、操作性がよい。しかも、被写体を撮影しないときには、通常、折り畳まれて使用されるので、レンズ１９ａが外側を向かず、周囲の者が、撮影されているのではないかという懸念を払拭できる。
【００５０】
また、使用者が腕に装着したままで、撮影、撮影停止、撮影画像の拡大、縮小をすることができる。しかも、第２の表示器で撮影、撮影停止、撮影画像の拡大、縮小の操作をしつつ、表示器２１で撮影画像を確認できるので、操作性がよい。また、腕に装着した状態で使用できるので、落下等による損傷を防ぐことができる。また、腕に装着した状態で携帯できるので、シャッターチャンスを逃す可能性を低減することができる。また、腕に装着したままで、遠隔操作対象を遠隔操作することができる。
【００５１】
（第２の実施形態）
第１の実施形態では、装置ユニットを立設させる際に、使用者が手を用いて装置ユニットを揺動させた。これに対し、第２の実施形態では、モータ駆動により、装置ユニットを揺動させる。図９に示すように、筐体１７にモータ５３が内蔵されており、モータ５３の駆動軸５３ａの一端がベース２９に固定されている。
【００５２】
第２の実施形態では、ベース２９に操作盤２９ｍが設けられている。操作盤２９ｍには、撮影ボタン２３ａ、拡大ボタン２３ｂ、縮小ボタン２３ｃ、フラッシュボタン２３ｄ、立設ボタン２３ｅ、前傾ボタン２３ｆが設けられている。
【００５３】
使用者が被写体をビデオ撮影するときの操作方法について、説明する。使用者が図４に示す初期画面４１のビデオボタン４１ａを押すと、動画撮影モードＭ４に移行する。動画撮影モードＭ４に移行すると、表示器２１に撮影画像が表示される。
【００５４】
次に、使用者が装置ユニット１３を所定角度、揺動、立設させる。図１０に示す立設ボタン２３ｅを押すと、立設する方向（立設角度αが増加する方向）に、装置ユニット１３が揺動する。また、前傾ボタン２３ｆを押すと、折り畳む方向（立設角度αが減少する方向）に、装置ユニット１３が揺動する。立設ボタン２３ｅ、前傾ボタン２３ｆを押して、装置ユニット１３の姿勢が、外部撮影用カメラ１９によって所定の被写体を撮影でき、しかも使用者が外部撮影用カメラ１９によって撮影された被写体の撮影画像を表示器２１で視認できる姿勢（視認可能撮影姿勢）となるように、装置ユニット１３を揺動させ、装置ユニット１３の立設角度α（図２参照）を変更させて、装置ユニット１３の姿勢を変換する。これにより、使用者は、表示器２１で撮影画像を視認することができる。この状態で、図１０に示す撮影ボタン２３ａを押すと、撮影画像に対応する画像情報が、記憶部に記憶される。撮影を終了する場合には、再度、撮影ボタン２３ａを押す。
【００５５】
なお、被写体を撮影する際、拡大ボタン２３ｂを押すと、撮影画像が拡大される。また、縮小ボタン２３ｃを押すと、撮影画像が縮小される。
【００５６】
次に、使用者が被写体を写真撮影するときの操作方法について、説明する。使用者が図５に示す初期画面４１のビデオボタン４１ａを押すと、静止画撮影モードＭ５移行する。動画撮影モードＭ５に移行すると、表示器２１に撮影画像が表示される。
【００５７】
次に、使用者が装置ユニット１３を所定角度、揺動、立設させる。図１０に示す立設ボタン２３ｅを押すと、立設する方向（立設角度αが増加する方向）に、装置ユニット１３が揺動する。また、前傾ボタン２３ｆを押すと、折り畳む方向（立設角度αが減少する方向）に、装置ユニット１３が揺動する。立設ボタン２３ｅ、前傾ボタン２３ｆを押して、装置ユニット１３の姿勢が、外部撮影用カメラ１９によって所定の被写体を撮影でき、しかも使用者が外部撮影用カメラ１９によって撮影された被写体の撮影画像を表示器２１で視認できる姿勢（視認可能撮影姿勢）となるように、装置ユニット１３を揺動させ、装置ユニット１３の立設角度αを変更させて、装置ユニット１３の姿勢を変換する。これにより、使用者は、表示器２１で撮影画像を視認することができる。この状態で、撮影ボタン２３ａを押すと、撮影画像に対応する画像情報が、記憶部に記憶される。
【００５８】
なお、被写体を撮影する際、拡大ボタン２３ｂを押すと、撮影画像が拡大される。また、縮小ボタン２３ｃを押すと、撮影画像が縮小される。また、フラッシュボタン２３ｄを押すと、フラッシュ撮影することができる。
【００５９】
（その他の実施形態）
第１の実施形態、第２の実施形態では、表示器にタッチスクリーンを用いたが、表示器にディスプレイを用いてもよい。
【００６０】
また、上述した表示器（表示器２１：第１の表示器）とは別に、リスト装置に表示器(第２の表示器）を設けてもよい。また、装置ユニットのうち、レンズが設けられる側の面に、所定の情報を表示する表示器（第３の表示器）が設けられてもよい。
【００６１】
また、使用者がリスト装置を所定角度、傾けても、装置ユニットが一定の姿勢を保つように、モータが制御されてもよい。
【００６２】
また、装置ユニット１３に電力を供給する電源、装置ユニット１３を制御する制御部、記憶部のうち、少なくとも１つが、リスト装置１５に設けられていてもよい。また、電源、制御部、記憶部の全てが、リスト装置１５に設けられていてもよい。
【００６３】
なお、本願発明の撮影機能付リスト装置が情報端末である場合には、撮影機能付リスト装置に情報端末の機能が設けられる。撮影機能付リスト装置がテレビである場合には、撮影機能付リスト装置にテレビの機能が設けられる。撮影機能付リスト装置が音声出力装置である場合には、撮影機能付リスト装置に音声出力装置の機能が設けられる。撮影機能付リスト装置が音声記憶装置である場合には、撮影機能付リスト装置に音声記憶装置の機能が設けられる。撮影機能付リスト装置が時計である場合には、撮影機能付リスト装置に時計の機能が設けられる。撮影機能付リスト装置がゲーム機である場合には、撮影機能付リスト装置にゲーム機の機能が設けられる。撮影機能付リスト装置が位置情報装置である場合には、撮影機能付リスト装置に位置情報装置の機能が設けられる。撮影機能付リスト装置が電話である場合には、撮影機能付リスト装置に電話の機能が設けられる。撮影機能付リスト装置が血圧計である場合には、撮影機能付リスト装置に血圧計の機能が設けられる。撮影機能付リスト装置が電話である場合には、撮影機能付リスト装置に電話の機能が設けられる。撮影機能付リスト装置が脈拍計である場合には、撮影機能付リスト装置に脈拍計の機能が設けられる。
【００６４】
上記各実施形態は、本願発明を例示したものであり、特許請求の範囲内で、自由に変形が可能である。
【符号の説明】
【００６５】
１１・・・撮影機能付リスト装置
１３・・・装置本体
１５・・・リスト装置
１７・・・筐体
１９・・・外部撮影用カメラ
１９ａ・・・レンズ
２１・・・表示器
２３・・・操作ボタン
２５・・・軸
２７・・・圧縮バネ
２９・・・ベース
３１・・・軸
３３・・・軸
３５・・・装着部
【図１】
2018004713.tif 000003
【図２】
2018004713.tif 000004
【図３】
2018004713.tif 000005
【図４】
2018004713.tif 000006
【図５】
2018004713.tif 000007
【図６】
2018004713.tif 000008
【図７】
2018004713.tif 000009
【図８】
2018004713.tif 000010
【図９】
2018004713.tif 000011
【図１０】
2018004713.tif 000012